Podtech/llm-jp-corpus-v4-ja_patent huggingface dataset:
(57)【要約】      （修正有）【課題】靴下等を汚すことなくコスト安で水虫やタムシの症状の改善に寄与するとともに体臭を有効に消すことができる石けんを提供する。【解決手段】光合成菌・乳酸菌・酵母菌・放線菌・麹菌を含む有用微生物群（ＥＭ菌）を主成分とする。ＥＭ菌を水中に入れ繁殖させ、他の石けん成分からなる液中に混合したのちに放置し、脱型する。【選択図】図１
0003152716.tif 000002
【実用新案登録請求の範囲】
【請求項１】
光合成菌・乳酸菌・酵母菌・放線菌・麹菌を含む有用微生物群を主成分とする石けん。
【考案の詳細な説明】
【技術分野】
【０００１】
本考案は、老人臭等の体臭を消すのに有効な石けんに関する。
【背景技術】
【０００２】
水虫やタムシは白癬菌という真菌が原因で起こる感染症の一種である。これらの感染症は人の身体に害を及ばすばかりでなく、悪臭の原因ともなる。この症状を改善する方策が従来種々提案されている（例えば、特許文献１，２参照）。
【０００３】
特許文献１に係る発明は、水虫 を患った足を気密に収容する処理袋と、処理ガス供給装置とを備えた水虫原因菌殺菌方法および装置である。ここで、処理ガス供給装置は、メタノールの酸化的分解反応によって生じる活性種を含む処理ガスを発生し処理袋内に供給するものとされている。この発明によれば、「処理ガスの持つ強い殺菌力と患部への強い浸透力とにより、角質や爪の内部に生息する水虫原因菌を殺菌できる効果がある」とされている。
【０００４】
また、特許文献２に係る発明は、油性基剤および竹酢液、そして必要に応じて水および乳化剤を含有する油中水型エマルジョン組成物とした竹酢液のクリーム状組成物である。
【特許文献１】特開２００５−８９３３２号公報
【特許文献２】特開２００５−２００３９３号公報
【考案の開示】
【考案が解決しようとする課題】
【０００５】
ところで、上記した特許文献１に係る発明は、処理袋や処理ガス供給装置などを備えなければならず、コストが嵩むとともに、手当てが面倒である欠点を有する。また、特許文献２に係る発明は、クリーム状の組成物を患部に塗るために靴下等に当該組成物が付いてしまい汚してしまう欠点を有する。なお、一般に竹炭は高価であり、その分コストが嵩むことにもなる。
【０００６】
本考案の目的は、靴下等を汚すことなくコスト安で手当ても簡単な水虫やタムシの症状の改善に寄与するとともに体臭を有効に消すことができる石けんを提供することにある。
【課題を解決するための手段】
【０００７】
請求項１の考案は、光合成菌・乳酸菌・酵母菌・放線菌・麹菌を含む有用微生物群を主成分とする石けんである。
【０００８】
上記請求項１の考案の場合、石けんを使用した際、有用微生物群が足指等の患部に付いたカビを分解してしまう。これにより、白癬菌は繁殖出来ず殺菌されるとともに、体臭を有効に消すことができる。継続的に使用すれば、再び感染せず予防にもなる。なお、石けんを使用後は、患部を水で洗い流せば有用微生物群を含む石けん成分は奇麗に落ちる。また、有用微生物群は無毒であり、環境浄化作用も有するので、他の石けん成分を天然のものにすれば、環境汚染の改善にもなる。
【考案の効果】
【０００９】
請求項１の考案によれば、有用微生物群の作用によって白癬菌は繁殖出来ず殺菌されるとともに、体臭を有効に消すことができる。また、使用後に患部を水で洗い流せば、当該患部には石鹸成分は残らない。これにより、靴下等を汚すことなくコスト安で水虫やタムシの症状の改善に寄与することができる。また、有用微生物群は無毒であり、環境浄化作用も有するので、他の石けん成分を天然のものにすれば、環境汚染の改善も期待できる。
【考案を実施するための最良の形態】
【００１０】
以下、本考案の実施の形態を図面を参照しながら説明する。
【００１１】
本考案に係る石けん（１）は、成分として光合成菌・乳酸菌・酵母菌・放線菌・麹菌等の有用微生物群を含む構成とされている。
【００１２】
本考案に係る石けんの製造方法の一例を、図１を参照しながら説明する。
【００１３】
まず、光合成菌・乳酸菌・酵母菌・放線菌・麹菌等の有用微生物群有用微生物群（以後、ＥＭ菌と称する。）を繁殖させるために、当該ＥＭ菌を水（分量３５５ｃｃ）中に入れて１ヶ月ほど放置する（工程Ｓ１）。なお、ＥＭ菌を米の研ぎ汁に１週間ほど入れておいたものを別に用意しておいてもよい。こうして、繁殖させた有用微生物群を、他の石けん成分（油脂と水酸化ナトリウムとでんぷん）からなる液中に入れて混ぜ（工程Ｓ２，Ｓ３）、その後型に入れて２ヶ月ほど放置する（工程Ｓ４）。ここで、この実施形態では、油脂として、サラダオイル（３リットル）を使用している。また、水酸化ナトリウムの分量は４３０ｇである。また、でんぷんとしては、ご飯（分量９５ｇ）を使用している。このでんぷんは、ＥＭ菌の栄養源となるものである。そして、脱型する。図２は、こうして製造された石けん（１）の外観の一例である。なお、液状の石けんを製造する場合には、上記した水酸化ナトリウムの代わりに水酸化カリウムを使用する。
【００１４】
こうして完成した石けんは、使用した際、有用微生物群が足指等の患部に付いたカビを分解してしまう。これにより、真菌（白癬菌）は繁殖出来ず殺菌される。また、老人臭の体臭も有効に消すことができる。石けんを使用後は、患部を水で洗い流せば有用微生物群を含む石けん成分は奇麗に落ちる。これにより、靴下等を汚すことなくコスト安で手当ても簡単な水虫やタムシの症状の改善および予防に寄与する。また、有用微生物群は無毒であり、環境浄化作用も有するので、他の石けん成分を天然のものにすれば、環境汚染の改善にもなる。なお、本石けんを足利市周辺に居住する人に試しに使用してもらったが、水虫の症状が改善されたという意見の他、体臭が気にならなくなった、足の痒みが治まった、汗疹の状態が改善されたなどの意見が寄せられた。
【図面の簡単な説明】
【００１５】
【図１】本考案に係る石けんの製造方法の一例を説明するための図である。
【図２】本考案に係る石けんの外観を示す図である。
【符号の説明】
【００１６】
１  石けん
２  ＥＭ菌（有用微生物群）
【図１】
0003152716.tif 000003
【図２】
0003152716.tif 000004
(57)【要約】      （修正有）【課題】葬儀の際に、亡くなれた人の宗派のお経に基づいてご遺体に掛ける布団のように使用できる掛布や骨壺に代えて骨袋として使用できる布袋を仕立てられる葬儀布用具を提供する。【解決手段】本葬儀布用具は、亡くなれた人の宗派のお経の経文を染めた布から形成した掛布１や骨袋から成る。この布には、外側が白生地に浮き柄２であり、中側に経文を染めていて、環境に良い素材から形成されている。【選択図】図１
0003152751.tif 000002
【実用新案登録請求の範囲】
【請求項１】
亡くなれた人の宗派のお経の経文を染めた布から形成した掛布から成ることを特徴とする葬儀布用具。
【請求項２】
掛布が布団仕立ていて、紗併せで布団中の部分が上から透けて見えるように仕立てて、経文を染めていることを特徴とする請求項１に記載の葬儀布用具。
【請求項３】
経文を染めた掛布は、外側が白生地に浮き柄であり、中側に経文を染めていて、その素材が環境に良いものであることを特徴とする請求項１に記載の葬儀布用具。
【請求項４】
経文を染めた掛布は、葬儀に相応しい仏様などの図柄を染めるか、或いは刺繍することを特徴とする請求項１に記載の葬儀布用具。
【請求項５】
亡くなれた人の宗派のお経の経文を染めた布から形成した骨袋から成ることを特徴とする葬儀布用具。
【請求項６】
骨袋の布が綿や絹などの土に還る材料から成ることを特徴とする請求項５に記載の葬儀布用具。
【考案の詳細な説明】
【技術分野】
【０００１】
この考案は、葬儀の際にご遺体を覆って供養するためや骨袋として使用できる布から形成された葬儀布用具に関する。
【背景技術】
【０００２】
従来より葬儀に際して最後の別れの葬送方法としては、遺品や供花、写仏、写経などをお棺の中に供えることを行っていた。
【０００３】
葬儀には棺にご遺体を安置させて白い掛布をお掛けしますが、日本国内においては仏式が多く、それぞれのご家庭に宗派があり、宗派のお経を唱え最後のお送りを致していた。  
【０００４】
日本には、四国八十八箇所巡り・西国三十三箇所周りと般若心経を唱えて、各寺を長年の歳月を掛けてお参りし、各寺の朱印を押した半墨をご遺体に折らせて棺に収められるけれども、しかし入手したくとも、八十八箇所お寺をお参りしなければ朱印も手に入らないという現実であった。
【０００５】
骨袋に至っては、わが国は火葬がほとんどであり、骨壺の使用が一般思想的である。しかし、お墓の中の骨壺に水が溜まると、病や災いに遭うと言い伝えがあり、骨壺に代えて土の自然に還ることができる容器を形成することが望まれていた。
【先行技術文献】
【特許文献】
【０００６】
【特許文献１】特開２００６−２１２３９２号公報
【特許文献２】実用新案登録第３０７１１３６号公報
【考案の概要】
【考案が解決しようとする課題】
【０００７】
それ故に、この考案の課題は、従来の諸問題を解決した葬儀布用具を提供すること、即ち、葬儀の際に、亡くなれた人の宗派のお経に基づいてご遺体に掛け布団のように使用できる掛布や骨壺に代えて骨袋として使用できる布袋を仕立てられる葬儀布用具を提供することである。
【課題を解決するための手段】
【０００８】
この課題は、亡くなれた人の宗派のお経の経文を染めた布から形成した掛布や骨袋から成る葬儀布用具によって解決される。
【考案の効果】
【０００９】
この考案の葬儀布用具によると、掛布が布団仕立ていて、紗併せで布団中の部分が上から透けて見えるように仕立てて、経文を染めている。亡くなれた人の宗派のお経の経文を書いた掛布をご遺体に掛け布団のように使用して載けるように仕立てられる。
【００１０】
この考案の葬儀布用具によると、経文を染めた掛布は、外側が白生地に浮き柄であり、中側に経文を染めていて、その素材が環境に良いものである。また、この掛布は、葬儀に相応しい仏様などの図柄を染めるか、或いは刺繍するなど豪華な付加価値を付け加えることもできる。                                                                      
【００１１】
この考案の葬儀布用具によると、掛布も、骨袋も環境に良い材料によって形成されている。この骨袋は火葬後の人骨を長年の歳月で土に還る素材を使用し、人骨が水に浸される心配もない。
【図面の簡単な説明】
【００１２】
【図１】この考案の葬儀布用具の一つの実施態様である掛布の正面図である。
【図２】この考案の掛布の横断面図である。
【図３】この考案の葬儀布用具の他の実施態様である骨袋の斜視図である。
【考案を実施するための最良の形態】
【００１３】
この考案は、葬儀布用具の一実施例を図面に基づいて説明する。
【実施例１】
【００１４】
図１は葬儀布用具の一つの実施態様である掛布の正面図であって、掛布は通常には幅４０〜６０ｃｍ、長さ１００〜１２０ｃｍの紗の生地の布である。図２は掛布の布団仕立て構造の断面図である。図１及び２において、この葬儀布用具の掛布１は布団仕立てになっているが、中綿などは入っていない。この掛布１は紗併せで掛布の中綿を入れる部分（布団中の部分）が上から透けて見えるように仕立てて、経文３を染めている。掛布１は、外側が白生地に浮き柄２であり、中側に経文３を染めていて、その掛布１の素材は環境に良いものを選択する。
【００１５】
この経文３を染めた掛布１は、葬儀に相応しい仏様などの図柄２を染めるか、或いは刺繍するなど豪華な付加価値を付け加えることもできる。仏様などの図柄２は広く知られている十三仏画像や様々の仏や菩薩を印刷し或いは染めて、死者の三十三回忌までの守りとして使用されている。
【００１６】
この経文３は、般若心経などの各宗派のお経を染めて亡くなれた人やそれぞれのご家庭に適したものを準備され得る。  
【実施例２】
【００１７】
図３は他の実施態様である葬儀布用具の骨袋の斜視図である。図３には、亡くなれた人の宗派のお経の経文３を染めた布１から骨袋４を形成した葬儀布用具が示されている。この骨袋４は掛布１として用いられるものと同様に、骨袋表面には白生地に浮き柄２であり、中側に経文３を染めていてある。
【００１８】
骨袋４の布が綿や絹などの土に還る材料から形成されていて、人骨を長年の歳月で土に還る素材を使用し、環境にやさしい素材とする。骨袋４には、骨袋の開口部５に閉鎖紐６が設けることもできる。  
【符号の説明】
【００１９】
１．．．．．掛布
２．．．．．浮き柄（図柄）
３．．．．．経文（文字）
４．．．．．骨袋
５．．．．．開口
６．．．．．紐
【図１】
0003152751.tif 000003
【図２】
0003152751.tif 000004
【図３】
0003152751.tif 000005
(57)【要約】【課題】初心者でも簡単に間隔のそろった縫い目に仕上げることができるとともに、運針の際に縫い針が布に引っかかることを防止することが可能な縫い針を提供する。【解決手段】縫い針１には、その先端付近に色彩部Ａと色彩部Ｂとが設けられ、色彩部Ａと色彩部Ｂとには異なる色彩が施されている。縫い針１の尾部には、糸を通すための針孔１０が設けられている。色彩部Ａ、色彩部Ｂを形成する塗料の厚みは、先端付近を削った際の削り深さに等しくなるようにしているため、色彩部Ａと色彩部Ｂとが形成された後では、縫い針１の径は、いずれの位置においても等しくなっている。【選択図】図１
0003152760.tif 000002
【実用新案登録請求の範囲】
【請求項１】
先端部に少なくとも１つの色彩が施された色彩部を有する縫い針であって、前記先端部の外周を削った後に前記色彩部が形成され、前記色彩部を形成する塗料の厚みは、前記先端部の外周を削った際の削り深さに等しいことを特徴とする縫い針。
【考案の詳細な説明】
【技術分野】
【０００１】
本考案は、針目の設定を容易に行うことが可能な縫い針に関する。
【背景技術】
【０００２】
手縫いにより運針を行う際には、目測で縫い目の間隔、すなわち針目を決めることが多く、熟練者であれば、間隔のそろったきれいな縫い目に仕上げることはそれほどの困難はないものの、初心者がこれを行うことにはかなりの困難を伴う場合が多い。
このような問題点を解決することを目的とした縫い針が、特許文献１に記載されている。
【先行技術文献】
【特許文献】
【０００３】
【特許文献１】登録実用新案第３０５５６９８号公報
【考案の概要】
【考案が解決しようとする課題】
【０００４】
特許文献１に記載されたものは、針先から所定位置に表示を設けることにより、表示を基準にして運針を行えるようにしたものであり、表示を目視して認識することにより、間隔のそろった縫い目に仕上げることができると考えられる。
しかし、視力の弱った作業者などが作業を行う場合には、表示を見落とすことが考えられ、このような場合には、せっかく表示が設けられていても、間隔のそろった縫い目に仕上げることは難しい。
【０００５】
また、特許文献１には、表示は、塗料の焼き付けなどによって、接着性がよく耐摩耗性に優れていれば、溝の加工を省略することもできるとが記載されているが、そうすると、塗料が焼き付けられた部分が他の部分より塗料の厚みの分だけ径が大きくなる。縫い針の径が部分的に異なると、運針の際に縫い針が布に引っかかりやすくなって好ましくないため、全体として同じ径となるように縫い針を形成することが望ましい。
【０００６】
本考案は、このような事情を考慮してなされたもので、初心者でも簡単に間隔のそろった縫い目に仕上げることができるとともに、運針の際に縫い針が布に引っかかることを防止することが可能な縫い針を提供することを目的とする。
【課題を解決するための手段】
【０００７】
以上の課題を解決するために、本考案の縫い針は、先端部に少なくとも１つの色彩が施された色彩部を有する縫い針であって、前記先端部の外周を削った後に前記色彩部が形成され、前記色彩部を形成する塗料の厚みは、前記先端部の外周を削った際の削り深さに等しいことを特徴とする。
【０００８】
先端部に色彩部が設けられているため、色彩部を針目の基準として認識しやすく、間隔のそろったきれいな縫い目に仕上げることができる。また、色彩部が形成された後では、縫い針の径はいずれの位置においても等しくなっているため、運針の際に縫い針が布に引っかかることがない。
【考案の効果】
【０００９】
本考案によると、初心者でも簡単に間隔のそろった縫い目に仕上げることができるとともに、運針の際に縫い針が布に引っかかることを防止することが可能な縫い針を実現することができる。
【図面の簡単な説明】
【００１０】
【図１】本考案の実施形態に係る縫い針の構造を示す図である。
【図２】本考案の実施形態に係る縫い針の製造工程を示す図である。
【考案を実施するための形態】
【００１１】
以下に、本考案の縫い針を、その実施形態に基づいて説明する。
図１に、本考案の実施形態に係る縫い針の構造を示す。
縫い針１には、その先端付近に色彩部Ａと色彩部Ｂとが設けられ、色彩部Ａと色彩部Ｂとには異なる色彩が施されている。縫い針１の尾部には、糸を通すための針孔１０が設けられている。
【００１２】
図２に、本考案の実施形態に係る縫い針の製造工程を示す。
図２（ａ）に示す縫い針１の先端部２の周囲を削ってこの部分の径を小さくし、さらに、図２（ｂ）に示すように、最先端部３の周囲を削ってこの部分の径をさらに小さくする。この工程により、最先端部３が最も細く、その次に先端部２が細い縫い針１が形成される。
この縫い針１に対して、図２（ｃ）に示すように、先端部２と最先端部３の外周に対して塗料を塗って色彩部Ｂを形成する。
【００１３】
その後、図２（ｄ）に示すように、最先端部３の外周に設けられた色彩部Ｂの外周に塗料を塗って、色彩部Ｂとは異なる色彩を持つ色彩部Ａを形成する。
このようにして形成された縫い針１は、その先端付近に所定の長さを有する色彩部Ａと色彩部Ｂとが設けられているため、運針を行う際には、作業者は縫い目の間隔を、色彩部Ａの長さや、色彩部Ａと色彩部Ｂとを合わせた長さに設定することにより、間隔のそろったきれいな縫い目に仕上げることができる。
【００１４】
特許文献１に記載のもののように、基準の位置に表示を設ける場合と比べて、色彩部Ａと色彩部Ｂにはそれぞれ、所定の長さに亘って連続的に色彩が施されているため、針目の基準として認識しやすく、見落としにくい。
また、色彩部Ａ、色彩部Ｂを形成する塗料の厚みは、先端部２と最先端部３を削った際の削り深さに等しくなるようにしているため、色彩部Ａと色彩部Ｂとが形成された後では、縫い針１の径は、いずれの位置においても等しくなっている。そのため、運針の際に縫い針１が布に引っかかることがない。
【００１５】
以上の説明においては、色彩部を２つ設けているが、色彩部の数は特に限定されるものではなく、その長さも適宜定めることができる。
【産業上の利用可能性】
【００１６】
本考案は、初心者でも簡単に間隔のそろった縫い目に仕上げることができるとともに、運針の際に縫い針が布に引っかかることを防止することが可能な縫い針として利用することができる。
【符号の説明】
【００１７】
１  縫い針
２  先端部
３  最先端部
１０  針孔
Ａ、Ｂ  色彩部
【図１】
0003152760.tif 000003
【図２】
0003152760.tif 000004
(57)【要約】      （修正有）【課題】毛髪がからみつくことがなく、毛髪が切れたり地肌を傷つけることがなくなり、安全にブラッシング、カールすることができるヘアブラシを提供する。【解決手段】近接ブリッスルとブリッスルが側面から見てＸ字状に交差させたブラシでブラッシングすると毛髪がブリッスル交差部の上をとおり、ブリッスルの根元まで入りこまないので、髪にからみつくことがなくなる。【選択図】図３
0003152742.tif 000002
【実用新案登録請求の範囲】
【請求項１】
植設台に対し、ブリッスルを傾斜させ、近接するブリッスルとブリッスルが側面から見て、Ｘ字状に交差させることを特徴とするヘアブラシ
【考案の詳細な説明】
【技術分野】
【０００１】この考案は毛髪とブラッシングおよびカールするヘアブラシに関するものである。
【背景技術】
【０００２】従来のヘアブラシは植設台に対し、垂直に植設されたものが多く作られている。
【考案の開示】
【考案が解決しようとする課題】
【０００３】従来のヘアブラシは植設台に垂直に植設されたブリッスルが毛髪の根元まで入り込んで、ブラシが髪にからみつくことがあり、髪を切ってとりはずさなければならなかったり、頭皮を傷つけることがある。
【課題を解決するための手段】
【０００４】〔図１〕が側面図で〔図２〕が平面図のように、ブリッスルを傾斜させ、近接するブリッスルとブリッスルが側面からみてＸ字状に交差させる本考案のブラシを提供する。
【考案の効果】
【０００５】〔図３〕の側面図および〔図４〕の平面図ように毛髪がブリッスル交差部の上を通り、ブリッスルの根元まで入りこまないようになり、髪にからみつくことがなくなる。
【実施例】
【０００６】〔図３〕および〔図４〕のように毛髪は、ブリッスルの交差部の上を通り、ブリッスルの根元まで入りこまないので、髪にからみつくことがなくなる。
【産業上の利用可能性】
【０００７】本考案のヘアブラシでは毛髪がからみつくことがなく、毛髪が切れたり地肌を傷つけることがなくなり、安全にブラッシング、カールすることができる。
【図面の簡単な説明】
【０００８】
【図１】本考案のブラシの側面図
【図２】本考案のブラシの平面図
【図３】本考案のブラシで毛髪をブラッシングした側面図
【図４】本考案のブラシで毛髪をブラッシングした平面図
【図１】
0003152742.tif 000003
【図２】
0003152742.tif 000004
【図３】
0003152742.tif 000005
【図４】
0003152742.tif 000006
(57)【要約】      （修正有）【課題】食卓やテーブルの上面などの設置面に起立保持することができ、トング体の挟持部の汚れや設置面の汚れを防ぐことができ、衛生的に使用することができる食品用トングを提供する。【解決手段】握り部２及び弾性復元可能な一対の挟持部３からなるトング体１からなり、上記握り部に上記トング体を起立保持する起立保持部４を設けてなる。【選択図】図１
0003152745.tif 000002
【実用新案登録請求の範囲】
【請求項１】
握り部及び弾性位置復元可能な一対の挟持部からなるトング体からなり、上記握り部に上記トング体を起立保持する起立保持部を設けたことを特徴とする食品用トング。
【請求項２】
上記起立保持部は、上記握り部の基部底面を平坦面に形成してなることを特徴とする請求項１記載の食品用トング。
【請求項３】
上記一対の挟持部の対向内面にそれぞれ複数個の挟持凸部を形成してなることを特徴とする請求項１又は２記載の食品用トング。
【考案の詳細な説明】
【技術分野】
【０００１】
本考案は、例えば、サラダ野菜やパスタ類などの食品の取り分けに用いられる食品用トングに関するものである。
【背景技術】
【０００２】
従来、この種の食品用トングとして、金属製や合成樹脂製などからなり、握り部及び弾性位置復元可能な一対の挟持部からなるトング体を備えてなる構造のものが知られている。
【先行技術文献】
【特許文献】
【０００３】
【特許文献１】特開２００８−１８８０９０号公報
【特許文献２】特開２００３−１４４３３９号公報
【考案の概要】
【考案が解決しようとする課題】
【０００４】
しかしながらこれら従来構造の場合、上記トング体の挟持部はサラダ野菜やパスタ類等の食品の取り分けに用いられるところ、不使用時においては、食卓やテーブルなどの設置面に寝かせた状態で置くことになり、設置面に触れて挟持部の汚れや設置面の汚れを余儀なくされ、不衛生になることがあるという不都合を有している。
【課題を解決するための手段】
【０００５】
本考案はこのような不都合を解決することを目的とするもので、本考案のうちで、請求項１記載の考案は、握り部及び弾性位置復元可能な一対の挟持部からなるトング体からなり、上記握り部に上記トング体を起立保持する起立保持部を設けたことを特徴とする食品用トングにある。
【０００６】
又、請求項２記載の考案は、上記起立保持部は、上記握り部の基部底面を平坦面に形成してなることを特徴とするものであり、又、請求項３記載の考案は、上記一対の挟持部の対向内面にそれぞれ複数個の挟持凸部を形成してなることを特徴とするものである。
【考案の効果】
【０００７】
本考案は上述の如く、請求項１記載の考案にあっては、上記起立保持部によりトング体を食卓やテーブルの上面などの設置面に起立保持することができ、トング体の挟持部の汚れや設置面の汚れを防ぐことができ、衛生的に使用することができる。
【０００８】
又、請求項２記載の考案にあっては、上記起立保持部は、上記握り部の基部底面を平坦面に形成してなるから、安定的に起立保持することができ、起立保持部を簡素な構造とすることができて製作コストを低減することができ、又、請求項３記載の考案にあっては、上記一対の挟持部の対向内面にそれぞれ複数個の挟持凸部を形成してなるから、食品を落とすことなく確実に食品を挟持することができる。
【図面の簡単な説明】
【０００９】
【図１】本考案の実施の第一形態例の全体斜視図である。
【図２】本考案の実施の第一形態例の断面図である。
【図３】本考案の実施の第一形態例の正断面図である。
【図４】本考案の実施の第二形態例の全体斜視図である。
【図５】本考案の実施の第二形態例の断面図である。
【図６】本考案の実施の第二形態例の正断面図である。
【考案を実施するための形態】
【００１０】
図１乃至図６は本考案の実施の形態例を示し、図１乃至図３は第一形態例、図４乃至図６は第二形態例である。
【００１１】
図１乃至図３の第一形態例において、１はトング体であって、握り部２及び図２の如く、両矢印方向に弾性位置復元可能な一対の挟持部３・３からなり、この場合、合成樹脂により形成されている。
【００１２】
４は起立保持部であって、上記握り部２にトング体１を食卓やテーブルの上面などの設置面Ｇに起立保持ように形成され、この場合、握り部２の基部底面を平坦面Ｆに形成して構成されている。
【００１３】
この場合、上記握り部２は動物の擬態状Ｋに形成され、デザイン性が向上するようにしている。
【００１４】
５は挟持凸部であって、上記一対の挟持部３・３の対向内面にそれぞれ複数個並列状に形成され、一対の挟持部３・３を握持動作し、自己弾性に抗して一対の挟持部３・３を互いに閉動作させてサラダ野菜やパスタ類等の食品を挟持し、一対の挟持部３・３の握持動作を解放し、一対の挟持部３・３の自己位置復元弾性により一対の挟持部３・３を開動作させ、食品を釈放して取り分けるに際し、食品を落とすことなく挟持するように形成されている。
【００１５】
６は指入凹部であって、上記一対の挟持部３・３の基部外面に形成され、一対の挟持部３・３の握持動作時において指を入れられるように形成され、挟持部３・３の挟持のための閉動作を確実に行うことができるようにしている。
【００１６】
この実施の第一形態例は上記構成であるから、上記起立保持部４によりトング体１を食卓やテーブルの上面などの設置面Ｇに起立保持することができ、トング体１の挟持部３・３の汚れや設置面Ｇの汚れを防ぐことができ、衛生的に使用することができる。
【００１７】
この場合、上記起立保持部４は、上記握り部２の基部底面を平坦面Ｆに形成してなるから、安定的に起立保持することができ、起立保持部４を簡素な構造とすることができて製作コストを低減することができ、又、この場合、上記一対の挟持部３・３の対向内面にそれぞれ複数個の挟持凸部５を形成してなるから、例えば、食品を釈放して取り分けるに際し、食品を落とすことなく確実に食品を挟持することができる。
【００１８】
図４乃至図６の第二形態例は別例構造を示し、この場合、上記握り部２は素朴な形態に形成され、シンプルなデザインとしている。
【００１９】
この実施の第二形態例においても、上記第一形態例と同様な作用効果を得ることができる。
【００２０】
尚、本考案は上記の形態例に限られるものではなく、上記トング体１、握り部２、一対の挟持部３・３の大きさや形状、上記起立保持部４の構造等は適宜変更して設計されるものである。
【００２１】
以上の如く、所期の目的を充分達成することができる。
【符号の説明】
【００２２】
Ｇ    設置面
Ｆ    平坦面
１    トング体
２    握り部
３    挟持部
４    起立保持部
５    挟持凸部
【図１】
0003152745.tif 000003
【図２】
0003152745.tif 000004
【図３】
0003152745.tif 000005
【図４】
0003152745.tif 000006
【図５】
0003152745.tif 000007
【図６】
0003152745.tif 000008
(57)【要約】      （修正有）【課題】散髪時に顧客の顔面を透明又は半透明のカバーで覆うことにより飛散する髪から顔面を保護するとともに、飛散した髪が顔面に附着する不快感の解消可能で、特に前記カバーのずれ落ちが防止できるようにした散髪用補助具を提供する。【解決手段】口を除く顔面上部を覆う薄肉状カバーを透明又は、半透明のポリプロピレン材で構成し、このカバーの上端部分に貼着剤を付設し、この貼着剤を額に貼着することにより前記カバーを顔面に装着したことを特徴とする。なお前記貼着剤は両面テープを用い、この両面テープの剥離紙をはがして貼着テープを額に貼着したことを特徴とする。【選択図】図２
0003152741.tif 000002
【実用新案登録請求の範囲】
【請求項１】
口を除く顔面上部を覆う薄肉状カバーを透明又は半透明のポリプロピレン材で構成し、このカバーの上端部分に貼着剤を付設し、この貼着剤を額に添着することにより前記カバーを顔面に装着したことを特徴とする散髪用補助具。
【請求項２】
前記貼着剤は両面テープを用い、この両面テープの剥離紙をはがして貼着テープを額に貼着したことを特徴とする請求項１記載の散髪用補助具。
【考案の詳細な説明】
【技術分野】
【０００１】    本考案は、理美容院や自宅で散髪の際に使用される散髪用補助具に関し、さらに詳細には散髪時に顧客の顔面を透明又は半透明のカバーで覆うことにより飛散する髪から顔面を保護するとともに飛散した髪が顔面に附着する不快感の解消可能で特に前記カバーのずれ落ちが防止できるようにした散髪用補助具の構造に関するものである。
【背景技術】
【０００２】  理美容院においては洗髪する際に顔面被覆用シートが提供されていた。【０００３】  上記シートは、シャンプー用の為、顔面全体を被覆するので息苦しさがあり、また不織布、或いは薄紙からなる不透明なシート材で構成されており視界を遮るので、顧客に不安感を与えていた。
【先行技術文献】
【特許文献】
【０００４】
【特許文献１】  実開平５−９５４０３号公報
【考案の概要】
【考案が解決しょうとする課題】
【０００５】  理美容院で散髪する際に、顧客の顔面を薄肉状カバーを透明又は半透明のポリプロピレン材で構成したものを顔面鼻先までを装着することにより、散髪により飛散する髪の毛から顔面が保護出来る。
【０００６】  従来では散髪が終了した時点に行われる、顔面をブラシで取り除かれるまでの間、不快感の問題点があった。
【０００７】  シャンプー用の為、顔面を被覆するので息苦しさ、不織布、或いは薄紙で構成されているので見えない。
【問題を解決するための手段】
【０００８】  口を除く顔面上部を覆う薄肉状カバーを透明又は半透明のポリプロピレン材で構成し、このカバーの上端部分に貼着剤を付設し、この貼着剤を額に添着することにより前記カバーを顔面に装着する散髪用補助具によって解決するものとする。
【考案の効果】
【０００９】  本考案に係わる顔面両面テープ付構造は以下に記すような効果を有する。
本考案における薄肉状透明又は半透明カバーをポリプロピレン材にすることで比較的安価であることから都度交換破棄可能であり非常に衛生的であるという優れた効果を有する。
【００１０】  またその都度、交換破棄のため殺菌して再使用するのに比べ労力軽減を図れるという優れた効果を有する。
【図面の簡単な説明】
【００１１】
【図１】本考案に係わる散髪用補助具を示す平面図
【図２】本考案の散髪用補助具の使用状態を示す正面図
【考案を実施するための形態】
【００１２】  透明、又は半透明のポリプロピレン材から台形状、薄肉状カバー（Ａ）を形成し、このカバー（Ａ）の上部先端縁部（Ｂ）に貼着剤（Ｃ）を付設して本考案散髪用補助具を構成する。  図１は、本考案に係わる散髪用補助具の平面図、図２は、同実施例における散髪用補助具の透明又は、半透明のポリプロピレン材からなるカバーの使用状態を示す平面図です。
【００１３】  本考案に係わる散髪用補助具の特徴とするところは顔面（あ）の口を除く鼻先までの顔面上部を覆うように形成された、縦１０ｃｍ〜１５ｃｍ、横２０〜２５ｃｍの台形状の透明又は半透明のポリプロピレン材から成る薄肉状カバー（Ａ）です。
【００１４】  前記、薄肉状カバー（Ａ）の上部先端縁部（Ｂ）両面テープ（Ｃ）を額（い）に位置する部分に両面テープ剥離紙を剥がし顔面に貼着するようにしたところにある。
【００１５】  尚、台形状薄肉状カバーは図１に示すように切り離された１枚のものである、前記先端部（Ｂ）は顔面額（い）の形状にあわせて緩やかな曲線状になっている
【００１６】  前記薄肉状カバーは理美容院で散髪の際に使用されるもので顧客は椅子に座った状態とされる。
【００１７】  先ず、台形状薄肉状カバー（Ａ）１枚を顧客の顔面（あ）に被せる。この際先端部（Ｂ）を額（い）に位置付け、先端部（Ｂ）に貼着された両面テープ（Ｃ）の剥離紙を剥がし、顔面（あ）に貼着させる。
【００１８】  散髪を開始すれば飛散する髪から顔面（あ）保護するとともに飛散した髪が顔面（あ）に付着する不快感の解消につながる。
【００１９】  散髪が終了したら薄肉状カバーを剥がし破棄、次の顧客に対し新しい上記カバーを使用しる。
【産業上の利用可能性】
【００２０】  本考案は、理美容院に於いて散髪の際に使用される顔面両面テープ付カバーに関し、更に詳細には散髪時に顧客の顔面を透明なポリプロピレン材で構成された薄肉状カバーの上端部分に貼着剤を付設した。【００２１】  前記、カバーの貼着部分を額に添着することにより飛散する髪から顔面を保護するとともに飛散した髪が顔面に付着する不快感が解消可能する。【００２２】  前記、両面テープ付の為ずれ落ちが防止出来るようにした散髪時の顔面両面テープ付カバー構造に関するものである。
【符号の説明】
【００２３】（あ）  顔面
（い）  額
（Ａ）  台形状の透明、又は半透明のポリプロピレン材から形成された薄肉状カバー
（Ｂ）  先端部
（Ｃ）  両面テープ
【図１】
0003152741.tif 000003
【図２】
0003152741.tif 000004
(57)【要約】      （修正有）【課題】商品価値を向上させた観賞用茶筒を提供する。【解決手段】茶筒本体２と茶筒蓋３と中蓋４とから成る。茶筒本体２の折返し部２１の上端縁２２と茶筒蓋３の折返し部３４の下端縁３５との間の一定距離Ｈに保たれた空間を嵌合空間とし、この嵌合空間内に存在する茶筒本体２の外表面に模様及び／又は絵を描き、嵌合空間内に存在する茶筒蓋３の外表面にもそれと同一の模様及び／又は絵を描いた。【選択図】図３
0003152476.tif 000002
【実用新案登録請求の範囲】
【請求項１】
茶筒本体（２）と茶筒蓋（３）と中蓋（４）とから成る茶筒（１）において、茶筒本体（２）の折返し部（２１）の上端縁（２２）と茶筒蓋（３）の折返し部（３４）の下端縁（３５）との間の一定距離（Ｈ）に保たれた空間を嵌合空間とし、この嵌合空間内に存在する茶筒本体（２）の外表面に模様及び／又は絵を描き、嵌合空間内に存在する茶筒蓋（３）の外表面にも茶筒本体（２）の外表面に描いた模様及び／又は絵と同一の模様及び／又は絵を描いて成る鑑賞用茶筒。
【請求項２】
茶筒蓋（3）の折返し部（３４）の内径（Ｄ）が５０〜５５mmである請求項１に記載の鑑賞用茶筒。
【請求項３】
茶筒本体（２）の表面に描いた模様及び／又は絵と茶筒蓋（３）の表面に描いた模様及び／又は絵を一致させるためのストッパーを茶筒本体（２）と茶筒蓋（３）に形成した請求項１に記載の鑑賞用茶筒。
【考案の詳細な説明】
【技術分野】
【０００１】
本考案は、商品価値を向上させる茶筒に関するものである。
【背景技術】
【０００２】
従来、茶筒はお茶を収納する単なる容器とみなされていた。
【考案の開示】
【考案が解決しようとする課題】
【０００３】
茶筒の表面に美麗な模様及び／又は絵を描いて商品価値を向上させることを目的とする。
【課題を解決するための手段】
【０００４】
本考案は、茶筒本体と茶筒蓋と中蓋とから成る茶筒において、茶筒本体の折返し部の上端縁と茶筒蓋の折返し部の下端縁との間の一定距離に保たれた空間を嵌合空間とし、この嵌合空間内に存在する茶筒本体の外表面に模様及び／又は絵を描き、嵌合空間内に存在する茶筒蓋の外表面にも茶筒本体の外表面に描いた模様及び／又は絵と同一の模様及び／又は絵を描いて成る鑑賞用茶筒を創製することにより問題点を解決した。
【考案の効果】
【０００５】
茶筒蓋がかぶっているときも、茶筒蓋を取り除いたときも、全く同一の模様及び／又は絵が現れているので、看者の視覚（記憶）に残存している模様及び／又は絵は不変であり、茶筒の商品価値が格段に向上する。
【実施例】
【０００６】
以下、添付図面に従って―実施例を説明する。茶筒１は金属製の茶筒本体２と茶筒蓋３、及びプラスチック製の中蓋４とから成る。
茶筒本体２は有底の円筒形で、円筒の上縁はしぼり加工機により内側に折り返されて折返し部２１が形成されている。茶筒蓋３は短い円筒部３１と天面３２を有し、円筒部３１と天面３２はなめらかな曲面３３で連結されている。茶筒蓋３の円筒部３１の下縁はしぼり加工機により内側に折返されて折返し部３４が形成されている。プラスチック製の中蓋４は環状部４１と円筒部４２と底板４３とから成る。
中蓋４を茶筒本体２に嵌合し、さらに茶筒蓋３をかぶせる。
【０００７】
茶筒本体２の表面に模様及び／又は絵を描く。その模様及び／又は絵は人目を惹くものであることが推奨される。例えば、華麗に着飾った人物（例えば童女）が望ましい。絵の配置の仕方は次の通りである。
茶筒本体２の折返し部２１の上端縁２２と茶筒蓋３の折返し部３４の下端縁３５の間隔を一定距離Ｈとしよう。この一定距離Hに保たれた空間を嵌合空間とし、茶筒本体２の嵌合空間内に存在する外表面には童女の髪飾りのみを描き、下端縁３５より下方の表面には、童女の顔と衣装を描く。
一方、茶筒蓋３の嵌合空間内に存在する外表面には、茶筒本体２の表面に描いた髪飾りと全く同一の絵を描く。
そうすると、茶筒蓋３がかぶっているときも、茶筒蓋３を取り除いたときも、全く同一の髪飾りの絵が現れるので、看者に与える華麗に着飾った童女の絵の印象はいささかの変わりもない。
したがって、茶筒の商品価値が格段に向上する。
【０００８】
茶筒蓋3を小さくすると、材料（容器及び茶）の節約になるばかりでなく、かわいい感じ（愛玩用鑑賞性）が向上するので、子供（とくに女の子）に手許に置きたいという気持（独占願望）を起こさせる。
しかし、茶筒蓋（３）の内径D（折返し部３４の内径、図３参照）が余り小さくなるとカール加工が難しくなるので、D＝５０〜５５mmが限度である。
茶筒本体２の表面に描いた髪飾り等と茶筒蓋３の表面に描いた髪飾り等とを一致させるためには、茶筒本体２と茶筒蓋３に髪飾り等を一致させるためのストッパーを形成することができる。
【０００９】
図４及び図５は、茶筒蓋３の下端を内側に丸めるのに用いるカールプレス金型５を示す。この金型は５個のパーツを組み合わせて、上からボルト締めして一体化されている。
【図面の簡単な説明】
【００１０】
【図１】茶筒蓋を嵌めたときの斜視図
【図２】茶筒蓋と中蓋をはずしたときの茶筒の斜視図
【図３】茶筒本体と茶筒蓋と中蓋の嵌合状態を示す拡大した部分図
【図４】はカールプレス金型の上面図
【図５】はその断面図
【符号の説明】
【００１１】
１  茶筒
２  茶筒本体
２１  折返し部
２２上端縁
３  茶筒蓋
３１  円筒部
３２  天面
３３  曲面
３４  折返し部
３５下端縁
４  中蓋
５  カールプレス金型
Ｈ  一定距離
【図１】
0003152476.tif 000003
【図２】
0003152476.tif 000004
【図３】
0003152476.tif 000005
【図４】
0003152476.tif 000006
【図５】
0003152476.tif 000007
(57)【要約】      （修正有）【課題】太陽熱温水装置を太陽電池パネル上部への設置することにより、太陽光線の集光機能による太陽電池の発電効率向上と太陽電池パネルと太陽熱温水装置の搭載スペースの効率向上を図る事ができる太陽熱温水装置を提供する。【解決手段】太陽電池パネル６の上部に、樹脂パイプ１等からなる太陽熱温水装置の熱交換機を設置する。給水栓３の開放により給水し、半円柱状透明あるいは半透明の樹脂パイプ１を巡り太陽光エネルギーにて温水が発生、温水タンク５に蓄積した温水を、給湯栓４を開放し放出された温水を適時利用する。半円柱状透明あるいは半透明の樹脂パイプ１は水に満たされる事により、凸型レンズの効果を発生し、太陽電池パネル面に向け、季節と時刻により方向の変化する太陽光線の集光を可能とする【選択図】図１
0003152478.tif 000002
【実用新案登録請求の範囲】
【請求項１】
太陽電池パネルを設置した後に該太陽電池パネルの上部に設置する太陽熱温水装置であって、熱交換器と冬季排水栓と給水栓と給湯栓と温水タンクの部品により構成し、熱交換器は透明あるいは半透明の部材から成り、太陽電池パネル上部に設置されることで、太陽光線を集光する際に熱交換を行うことが可能であることを特徴とする太陽熱温水装置。
【考案の詳細な説明】
【技術分野】
【０００１】
本考案は、太陽熱温水装置に関するものである。
【背景技術】
【０００２】
太陽熱温水装置と太陽光発電は地球温暖化防止に貢献するエネルギー源を供給する装置であるために、太陽熱温水装置と太陽光発電装置を一体化した多目的装置が提案されている。
【先行技術文献】
【特許文献】
【０００３】
【特許文献１】特開平８−４９９２０号公報
【０００４】
【特許文献２】特開２００３−１４３１６号公報
【考案の概要】
【考案が解決しようとする課題】
【０００５】
考案が解決しようとする問題点は、以上に述べた従来の太陽熱温水装置の熱交換機は、太陽電池パネルと一体あるいは太陽電池パネルの下部に設置する構造であるために、利用者が太陽電池パネルを設置した後に、太陽熱温水装置を設置するためには、該太陽電池パネルの取り外しが必要となり不経済となることにある。
【０００６】
例えば、一般家庭の利用者が家屋の屋根上など設置スペースに制約をもつときには、太陽熱温水装置は受光した太陽光エネルギーの５０％以上を熱として利用することが可能であり、温水の用途も比較的少ないために、一般的には必要とする面積を持つ太陽熱温水装置を設置することは可能である。しかし太陽光発電装置は太陽光エネルギーの電力への変換効率は一般に２０％以下であり、電力の用途は多いために、一般的には必要とする面積を持つ太陽電池パネルを設置するスペースは不足する。このため太陽熱温水装置と太陽光発電装置を一体化した多目的装置を全面に設置することは不経済であり、このことから太陽電池パネルの設置を優先し、太陽電池パネルを設置した後、平均的な太陽光発電による発電量を算出した後に、太陽熱温水装置の設置を行うこととなり、上述のように太陽電池パネルの取り外しが必要となり不経済となる。
【課題を解決するための手段】
【０００７】
そして、本実用新案は上記目的を達成するために、熱交換機の材質を従来のものから、太陽光線を透過するものとし太陽電池パネルの上部に設置可能な構造とし、集光機能を併せ持たせ、集光機能による太陽電池の発電効率の向上を可能とした。具体的には、熱交換器と太陽電池パネルと冬季排水栓と給水栓と給湯栓と温水タンクの部品により構成し、熱交換器は透明あるいは半透明の部材から成り、太陽電池パネル上部に設置されることで、太陽光線を集光する際に熱交換を行うことが可能であることを特徴とする太陽熱温水装置とすることで解決しようとするものである。
【考案の効果】
【０００８】
上述のように本実用新案の太陽熱温水装置は太陽光線の集光機能による太陽電池の発電効率向上と、太陽電池パネル上部への設置により、太陽電池パネルと太陽熱温水装置の搭載スペースの効率向上をすることが可能となる。
【図面の簡単な説明】
【０００９】
【図１】図１は本実用新案に係わる太陽熱温水装置の一実施例を示す配管経路図である。
【図２】図２は前記太陽熱温水装置の部分図及び断面図である。
【考案を実施するための形態】
【００１０】
太陽電池パネルを設置した後に該太陽電池パネルの上部に設置する太陽熱温水装置であって、熱交換器と冬季排水栓と給水栓と給湯栓と温水タンクの部品により構成し、熱交換器は透明あるいは半透明の部材から成り、太陽電池パネル上部に設置されることで、太陽光線を集光する際に熱交換を行うことが可能であることを特徴とする太陽熱温水装置を具体化した実施形態例について、図１から図２に基づいて詳細に説明する。
【実施例】
【００１１】
図１に示すように、給水栓３の開放により給水し、図２に示すように半円柱状透明あるいは半透明の樹脂パイプ１を巡り太陽光エネルギーにて温水が発生、温水タンク５に蓄積した温水を、給湯栓４を開放し放出された温水を適時利用する。
【００１２】
半円柱状透明あるいは半透明の樹脂パイプ１は水に満たされる事により、凸型レンズの効果を発生し、太陽電池パネル面に向け、季節と時刻により方向の変化する太陽光線の集光を可能とする。
【産業上の利用可能性】
【００１３】
本考案の太陽熱温水装置は、家屋の屋根上など設置スペースに制約のあるときに太陽電池パネルと太陽熱温水装置の設計上の制約を緩和し、太陽光線の集光機能による太陽電池の発電効率向上と、太陽電池パネル上部への設置により、太陽電池パネルと太陽熱温水装置の搭載スペースの効率向上をすることが可能となることから、家庭及びその他の産業に 幅広く利用することが可能である。
【符号の説明】
【００１４】
１   熱交換機    
２    冬季排水栓
３    給水栓
４    給湯栓
５    温水タンク
６     太陽電池パネル
【図１】
0003152478.tif 000003
【図２】
0003152478.tif 000004
(57)【要約】      （修正有）【課題】堆肥の発酵熱を利用した安価な暖房装置を提供する。【解決手段】発酵堆肥化貯蔵所１と熱源部の熱交換器２と放熱部の熱交換器３と伝熱用配管と水などの伝熱用媒体物の部品により構成し、発酵堆肥化貯蔵所１は内部に熱源部の熱交換器２が設置されているとともに、放熱部の熱交換器３の高さより低位置に設置され、熱源部の熱交換器２と放熱部の熱交換器３とが水などの伝熱用媒体物に満たされた伝熱用配管で繋ぎ、水などの伝熱用媒体物の自然対流を利用し、設備費用が多大となるポンプなどの強制循環機器をなくすことで解決した。【選択図】図１
0003152480.tif 000002
【実用新案登録請求の範囲】
【請求項１】
有機性廃棄物による堆肥化発酵熱を利用しての暖房装置であって、発酵堆肥化貯蔵所と熱源部の熱交換器と放熱部の熱交換器と伝熱用配管と水などの伝熱用媒体物の部品により構成し、発酵堆肥化貯蔵所は内部に熱源部の熱交換器が設置されているとともに、放熱部の熱交換器の高さより低位置に設置され、熱源部の熱交換器と放熱部の熱交換器とが水などの伝熱用媒体物に満たされた伝熱用配管で繋がれていることを特徴とする暖房装置。
【考案の詳細な説明】
【技術分野】
【０００１】
本考案は、堆肥の発酵熱を利用しての暖房装置に関するものである。
【背景技術】
【０００２】
野菜などの栽培施設として、プラスチックハウスがあるが、ハウス内を作物の育成に適した温度に維持するため温水ボイラーなどを使用し、石油等の化石燃料を燃焼させ暖房を行うことが一般的であった、しかし地球温暖化への対応から、有機性廃棄物に微生物を加えて発酵処理を行い、該堆肥化発酵処理で発生する発酵熱を利用して前記ハウス内を暖房する取り組みが行なわれ始めている。
【先行技術文献】
【特許文献】
【０００３】
【特許文献１】特開２００７−２８９２８号公報
【０００４】
【特許文献２】特開２００６−111479号公報
【考案の概要】
【考案が解決しようとする課題】
【０００５】
考案が解決しようとする問題点は、以上に述べた従来の堆肥化発酵熱を利用した装置が循環ポンプなどを用いることから設備費用が多大となり一般的に不経済となっていることにある。
【課題を解決するための手段】
【０００６】
そして、本実用新案は上記目的を達成するために、循環ポンプなどの強制循環機器を無くし、熱源部の熱交換器を放熱部の熱交換機より低い位置に設置し自然循環方式を行うこととした、具体的には、発酵堆肥化貯蔵所と熱源部の熱交換器と放熱部の熱交換器と伝熱用配管と水などの伝熱用媒体物の部品により構成し、発酵堆肥化貯蔵所は内部に熱源部の熱交換器が設置されているとともに、放熱部の熱交換器の高さより低位置に設置され、熱源部の熱交換器と放熱部の熱交換器とが水などの伝熱用媒体物に満たされた伝熱用配管で繋がれている暖房装置としている。
【考案の効果】
【０００７】
上述したように本実用新案の暖房装置は有機性廃棄物の堆肥化発酵熱による高熱部と、地表部分の気温による低温部との間に生ずる、水などの伝熱用媒体物の対流を利用するものであり、ポンプなどの強制循環装置を無くし、暖房装置を安価にすることが可能となる。
【図面の簡単な説明】
【０００８】
【図１】本実用新案の実施形態を示す装置の断面図。
【考案を実施するための形態】
【０００９】
発酵堆肥化貯蔵所と熱源部の熱交換器と放熱部の熱交換器と伝熱用配管と水などの伝熱用媒体物の部品により構成し、発酵堆肥化貯蔵所は内部に熱源部の熱交換器が設置されているとともに、放熱部の熱交換器の高さより低位置に設置され、熱源部の熱交換器と放熱部の熱交換器とが水などの伝熱用媒体物に満たされた伝熱用配管で繋いだ暖房装置で、発酵堆肥化貯蔵所に有機性廃棄物を貯蔵することで該堆肥化発酵処理により発酵熱を放出する、該熱は熱源部の熱交換器内部に伝わり、水などの伝熱用媒体物の温度は上昇する。温度上昇により水などの伝熱用媒体物の比重が下がることで水などの伝熱用媒体物は上方へ流れ、上部に設置された放熱部の熱交換器内部に流入する。水などの伝熱用媒体物は熱交換器内部で熱を放出し、地表部を温める。水などの伝熱用媒体物は温度が下がることにより比重が大きくなることから、熱交換器内部で下方に流れ再度、熱源部の熱交換器に流入する。
【実施例】
【００１０】
以下、本実用新案の実施の形態を図１に基づいて説明する。
【００１１】
図１において装置の側面図を示す。１は発酵堆肥化貯蔵所である。２は熱源部の熱交換器である。３は放熱部の熱交換器である。
【００１２】
図１において発酵堆肥化貯蔵所１内に有機性廃棄物の貯蔵を行うことで、堆肥化発酵処理が進行し発酵熱を発生する、熱は熱源部の熱交換器２に伝わり熱交換器内部の水などの伝熱用媒体物の温度を上昇させる。
【００１３】
図１において加熱された熱源部の熱交換器２内の、水などの伝熱用媒体物は温度が上昇することで比重が下がり熱源部の熱交換器２内部で上方へ流れ、伝熱用配管４を通り上部に設置された放熱部の熱交換器３内に流入していく。
【００１４】
図１において放熱部の熱交換器３内に流入した液体は地表の気温により冷却され、水などの伝熱用媒体物は温度を下げる。温度が下降した水などの伝熱用媒体物は比重が大きくなることにより熱交換器内で下降し、配管５を通り熱源部の熱交換器２内に再び戻る。
【００１５】
以上のように、発酵堆肥化貯蔵所１内の発酵熱は水などの伝熱用媒体物の対流により地表に伝わる。水などの伝熱用媒体物は地表で冷却され、対流により発酵堆肥化貯蔵所１に戻り循環を行い、安価に暖房を行うことができる。
【産業上の利用可能性】
【００１６】
冬季に植物の栽培のために利用されたり、寒冷地での暖房に利用されたりするなど多くの農地で利用可能であり、本実用新案の産業上の利用可能性は大変大きい。
【符号の説明】
【００１７】
１    発酵堆肥化貯蔵所
２    熱源部の熱交換器
３    放熱部の熱交換器
４    放熱部に向かう配管
５    熱源部に向かう配管
【図１】
0003152480.tif 000003